(57)【特許請求の範囲】
【請求項１】
内部に弁体が移動可能に収納され、一端部に前記弁体の抜け出しを防止するための抜止部が形成された筒状の第一のハウジングと、該第一のハウジングの他端部に軸線を互いに一致させて装着され、前記弁体を受ける座面を有する環状の弁座が形成された筒状の第二のハウジングとを備える逆流防止弁であって、前記両ハウジングの互いに対向する端面間には、前記両ハウジング間を止水するための環状の第一のシール部材が設けられており、前記弁座の前記座面上には、前記弁座への前記弁体の着座状態で前記弁体と前記弁座との間を止水するための環状の第二のシール部材が設けられており、前記第一のハウジング又は前記第二のハウジングのいずれか一方のハウジングには、前記第二のシール部材を前記座面へ向けて押さえ付けるための押え部が設けられていると共に、前記第一のハウジングの内周面には、該内周面から突出し且つ前記第一のハウジングの軸線方向に伸び、前記弁体が前記弁座から離反した状態で前記第一のハウジング内に流体の流路を確保するための複数のリブが、前記第一のハウジングの周方向に所定の間隔をおいて形成されており、前記第一のハウジングの前記他端部には、環状部材が嵌合されており、前記環状部材の外周面と前記第一のハウジングの内周面との間には、前記第一のハウジングと前記環状部材との間を止水するためのＯリングが設けられており、前記第一のシール部材は、前記環状部材の端面と前記第二のハウジングの前記端面との間に設けられていることを特徴とする逆流防止弁。
【請求項２】
前記弁座は、前記第二のハウジングの内周面に前記第二のハウジングの前記端面から前記第二のハウジングの内方へ間隔をおいて形成されており、前記第二のハウジングの前記内周面には、前記端面と前記弁座との間で雌ねじ部が形成されており、前記押え部は、環状をなした押え部材であり、該押え部材の外周面には、前記雌ねじ部に螺合可能な雄ねじ部が形成されており、前記押え部材は、その前記雄ねじ部を前記雌ねじ部に螺合させることにより、前記第二のハウジングに取り付けられていることを特徴とする請求項１に記載の逆流防止弁。
【請求項３】
前記弁座の前記座面には、前記押え部に対応する位置で前記第二のシール部材に向けて突出する突起部が形成されていることを特徴とする請求項１又は２に記載の逆流防止弁。
【請求項４】
前記突起部は、前記座面の周方向に沿って伸びる環状をなしていることを特徴とする請求項３に記載の逆流防止弁。
【請求項５】
前記第二のシール部材には、前記弁座への前記弁体の着座時に該弁体の重心が前記第二のシール部材の中心軸上に位置する着座位置に向けて前記弁体を案内する案内手段が設けられていることを特徴とする請求項１乃至４のいずれか一項に記載の逆流防止弁。
【請求項６】
前記弁体は球状をなしており、前記案内手段は、前記第二のシール部材の前記弁座側と反対側に位置する面における内縁部に前記第二のシール部材の内径が前記第二のハウジングから前記第一のハウジングに向けて漸増するように形成され、前記弁座への前記弁体の着座時に前記弁体の外周面に当接する当接面であることを特徴とする請求項５に記載の逆流防止弁。
【発明の詳細な説明】
【技術分野】
【０００１】
本発明は、流体の逆流を防止するために用いるのに好適な逆流防止弁に関する。
【背景技術】
【０００２】
従来、例えば上下に配管された二つの管部材に上端部及び下端部が接続される筒状のハウジングと、該ハウジング内に配置された弁体とを備え、下方の管部材から上方の管部材へ向けての流体の通過を許しその逆は阻止する逆流防止弁が知られている（例えば、特許文献１参照。）。ハウジングの上端部における内周面には、ハウジング内からの弁体の抜け出しを防止するための抜止部がハウジングの内方へ突出して形成されている。また、ハウジングの下端部における内周面には、弁体を受ける環状の弁座がハウジングの内方へ突出して形成されている。
【０００３】
下方の管部材からハウジング内にその下端を経て流体が流入したとき、弁体が流体から受ける圧力によって上方へ押し上げられて弁座から離れる。これにより、流体がハウジング内を通過可能となり、流体がハウジング内を経て上方の管部材に流入する。下方の管部材からハウジング内への流体の流入が停止又は流入量が少なくなると、弁体がその自重に加えて上方の管部材内の流体から受ける圧力によりハウジング内を降下して弁座に当接する。このとき、弁座への弁体の着座状態で弁座及び弁体間の止水性を高めるために、弾性変形可能な環状のシール部材を弁座上に設けることが望ましい。弁体が弁座に着座することにより、ハウジングの下端が弁体により閉鎖されるので、流体のハウジング内の通過が阻止され、流体が上方の管部材から下方の管部材に流れることが防止される。
【０００４】
しかしながら、単一のハウジング内に、該ハウジングの内方へ突出する抜止部及び弁座がそれぞれ形成されていることから、例えば射出成形のように金型を用いた成形方法ではハウジング内に挿入した金型をハウジングの成形後に抜くことができず、ハウジングの成形方法が制限される。
【０００５】
そこで、ハウジングの成形上の問題を解決するために、上端部に抜止部が形成され内部に弁体が収納された筒状の第一のハウジングと、第一のハウジングの下端部に装着され上端部に弁座が形成された第二のハウジングとに、ハウジングを分割することが提案されている。この逆流防止弁によれば、第一及び第二の各ハウジングの一方の端部にのみ内方へ突出する突出部が形成されていることから、金型を用いる射出成形でも成形された各ハウジング内から金型を抜くことができるので、各ハウジングの成形方法が制限されることはない。
【０００６】
この逆流防止弁では、ハウジングが第一のハウジング及び第二のハウジングに分割されていることから、第一及び第二の両ハウジング間を止水する必要がある。そこで、弁体及び弁座間を止水すべく弁座上に設けられた前記シール部材に、弁体の着座状態で弁座及び弁体間を気密的に封止するための封止機能に加えて、第一及び第二の両ハウジング間を止水するための止水機能を担わせることが考えられる。すなわち、シール部材を、第一及び第二のハウジング間に支持される環状の支持部と、該支持部の内縁から支持部の内方へ座面を覆うように伸び弁体を受ける環状の受け部とを有するシール部材で構成し、支持部を各ハウジングの前記端面間に挟み込むことによりシール部材を両ハウジング間に支持する。これにより、両ハウジング間が支持部により気密的に封止されるので、流体が両ハウジング間を経て両ハウジングの外方へ漏れることが防止される。
【特許文献１】特開２００２−２６７０３２号公報（第２−３頁、図１）
【発明の開示】
【発明が解決しようとする課題】
【０００７】
しかしながら、弁体及び弁座間を止水するためのシール部材の支持部に両ハウジング間を止水するためのシール機能を担わせるべくシール部材を両ハウジングに組み込むときに支持部を両ハウジングの端面間に挟み込むことから、支持部を両ハウジング間に挟み込んだときに支持部に両ハウジングから大きな圧縮力が作用した場合、支持部が大きく潰れ変形し、この変形力が支持部に一体に形成された受け部に伝わり該受け部が歪む虞がある。受け部が歪むと、弁座への弁体の着座時に受け部が弁体を受けたとき、弁体の外周面及び弁座の座面のそれぞれと受け部との間に隙間が形成されてしまう。このため、受け部と弁体とを互いに密着させることができず、弁体及び弁座間の受け部による止水性が低下してしまう。
【０００８】
支持部の挟み込みによる受け部の歪みを防止するために、両ハウジングから支持部に作用させる圧縮力を弱めることが考えられるが、両ハウジングの端面と支持部との密着度が弱まるため、両ハウジング間の止水性が低下してしまう。
【０００９】
そこで、本発明の目的は、弁体及び弁座間の止水性の低下を招くことなく第一及び第二の両ハウジング間の止水性を確保することができる逆流防止弁を提供することにある。
【課題を解決するための手段】
【００１０】
上記課題を解決するために、請求項１に記載の発明は、内部に弁体が移動可能に収納され、一端部に前記弁体の抜け出しを防止するための抜止部が形成された筒状の第一のハウジングと、該第一のハウジングの他端部に軸線を互いに一致させて装着され、前記弁体を受ける座面を有する環状の弁座が形成された筒状の第二のハウジングとを備える逆流防止弁であって、前記両ハウジングの互いに対向する端面間には、前記両ハウジング間を止水するための環状の第一のシール部材が設けられており、前記弁座の前記座面上には、前記弁座への前記弁体の着座状態で前記弁体と前記弁座との間を止水するための環状の第二のシール部材が設けられており、前記第一のハウジング又は前記第二のハウジングのいずれか一方のハウジングには、前記第二のシール部材を前記座面へ向けて押さえ付けるための押え部が設けられていると共に、前記第一のハウジングの内周面には、該内周面から突出し且つ前記第一のハウジングの軸線方向に伸び、前記弁体が前記弁座から離反した状態で前記第一のハウジング内に流体の流路を確保するための複数のリブが、前記第一のハウジングの周方向に所定の間隔をおいて形成されており、前記第一のハウジングの前記他端部には、環状部材が嵌合されており、前記環状部材の外周面と前記第一のハウジングの内周面との間には、前記第一のハウジングと前記環状部材との間を止水するためのＯリングが設けられており、前記第一のシール部材は、前記環状部材の端面と前記第二のハウジングの前記端面との間に設けられている逆流防止弁を特徴とする。
【００１１】
請求項２に記載の発明は、請求項１に記載の発明において、前記弁座は、前記第二のハウジングの内周面に前記第二のハウジングの前記端面から前記第二のハウジングの内方へ間隔をおいて形成されており、前記第二のハウジングの前記内周面には、前記端面と前記弁座との間で雌ねじ部が形成されており、前記押え部は、環状をなした押え部材であり、該押え部材の外周面には、前記雌ねじ部に螺合可能な雄ねじ部が形成されており、前記押え部材は、その前記雄ねじ部を前記雌ねじ部に螺合させることにより、前記第二のハウジングに取り付けられていることを特徴とする。
【００１２】
請求項３に記載の発明は、請求項１又は２に記載の発明において、前記弁座の前記座面には、前記押え部に対応する位置で前記第二のシール部材に向けて突出する突起部が形成されていることを特徴とする。
【００１３】
請求項４に記載の発明は、請求項３に記載の発明において、前記突起部は、前記座面の周方向に沿って伸びる環状をなしていることを特徴とする。
【００１５】
請求項５に記載の発明は、請求項１乃至４のいずれか一項に記載の発明において、前記第二のシール部材には、前記弁座への前記弁体の着座時に該弁体の重心が前記第二のシール部材の中心軸上に位置する着座位置に向けて前記弁体を案内する案内手段が設けられていることを特徴とする。
【００１６】
請求項６に記載の発明は、請求項５に記載の発明において、前記弁体は球状をなしており、前記案内手段は、前記第二のシール部材の前記弁座側と反対側に位置する面における内縁部に前記第二のシール部材の内径が前記第二のハウジングから前記第一のハウジングに向けて漸増するように形成され、前記弁座への前記弁体の着座時に前記弁体の外周面に当接する当接面であることを特徴とする。
【発明の効果】
【００１７】
請求項１に記載の発明によれば、第一及び第二の両ハウジング間を止水するための第一のシール部材が両ハウジングの互いに対向する端面間に設けられており、弁体及び弁座間を止水するための第二のシール部材が弁座の座面上に設けられていることから、第一及び第二の各シール部材は、互いに別体に形成されている。このことから、第一のシール部材を両ハウジング間に挟み込んだときに両ハウジングから第一のシール部材に大きな圧縮力が作用した場合に、第一のシール部材がたとえ大きく潰れ変形したとしても、第一のシール部材の変形力が第二のシール部材に及ぶことはない。これにより、第一のシール部材の変形力が第二のシール部材に及ぶことによる従来のような第二のシール部材の歪みが確実に防止される。
【００１８】
これにより、第一のシール部材が大きく潰れ変形した場合でも、第二のシール部材を座面及び弁体の外周面との間に隙間が形成されることなくそれらに密着させることができるので、座面及び弁体間を気密的に封止することができる。従って、第一のシール部材の変形によって第二のシール部材が歪むことによる従来のような弁体及び弁座間の止水性の低下を招くことなく、弁体及び弁座間を第二のシール部材で確実に止水することができる。
【００１９】
また、第一のハウジング又は第二のハウジングのいずれか一方のハウジングに、第二のシール部材を座面へ向けて押さえ付けるための押え部が設けられていることから、第二のシール部材が例えば製造誤差や第二のハウジングへの第二のシール部材の取付時に該シール部材に作用する外力等により歪んだ場合でも、第二のシール部材が押え部から受ける座面へ向けての押え力により、第二のシール部材の歪みを修正することができる。これにより、第二のシール部材の歪みによる弁体及び弁座間の止水性の低下を確実に防止することできる。
更に、第一のハウジングの内周面に、該内周面から突出し且つ第一のハウジングの軸線方向に伸び、弁体が弁座から離反した状態で第一のハウジング内に流体の流路を確保するための複数のリブを、第一のハウジングの周方向に所定の間隔をおいて形成することができる。この場合、第一のハウジングの他端部に、環状部材を嵌合し、第一のシール部材を、環状部材の端面と第二のハウジングの端面との間に設けることができる。また、環状部材の外周面と第一のハウジングの内周面との間に、第一のハウジングと環状部材との間を止水するためのＯリングを設けることができる。
【００２０】
請求項２に記載の発明によれば、弁座を、第二のハウジングの内周面に第二のハウジングの端面から第二のハウジングの内方へ間隔をおいて形成し、第二のハウジングの内周面に、その端面と弁座との間で雌ねじ部を形成し、押え部を、環状をなした押え部材で構成し、該押え部材の外周面に、雌ねじ部に螺合可能な雄ねじ部を形成することができる。この場合、押え部材の雄ねじ部を雌ねじ部に螺合させることにより、押え部材を第二のハウジングに容易に取り付けることができる。
【００２１】
請求項３に記載の発明によれば、弁座の座面に、押え部に対応する位置で第二のシール部材に向けて突出する突起部が形成されていることから、第二のシール部材を弁座の座面上に押え部により押さえ付けたとき、座面に形成された突起部を第二のシール部材に食い込ませることができる。これにより、弁体の着座時に第二のシール部材が弁体から力を受けたとき、この力によって座面への第二のシール部材の配置位置にずれが生じることを、確実に防止することができる。従って、第二のシール部材の配置が適正な位置からずれることによる弁体及び弁座間の止水性の低下を確実に防止することができる。
【００２２】
請求項４に記載の発明によれば、突起部が座面の周方向に沿って伸びる環状をなしていることから、第二のシール部材を弁座の座面上に押え部により押さえ付けることにより突起部を第二のシール部材に食い込ませたとき、座面と第二のシール部材との密着度がより高まる。これにより、座面及び第二のシール部材間の止水性をより高めることができる。従って、例えば弁座への弁体の着座状態で、流体が第二のシール部材と弁座との間を経て第一のハウジングから第二のハウジングに流入することを確実に防止することができる。
【００２４】
請求項５に記載の発明によれば、第二のシール部材に、弁座への弁体の着座時に該弁体の重心が第二のシール部材の中心軸上に位置する着座位置に向けて弁体を案内する案内手段が設けられていることから、案内手段の案内作用により、弁座への着座時に弁体をその重心が第二のシール部材の中心軸上に位置する着座位置に容易に位置決めすることができる。これにより、弁座への弁体の着座時に第二のシール部材が弁体を受けたとき、弁体から第二のシール部材にその周方向に一様に力を作用させることができる。従って、第二のシール部材への弁体の密着度に偏りを生じさせることなく弁体を第二のシール部材に密着させることができるので、弁体及び弁座間を第二のシール部材でより確実に止水することができる。
【００２５】
請求項６に記載の発明によれば、弁体が球状をなしており、案内手段が、第二のシール部材の弁座側と反対側に位置する面における内縁部に第二のシール部材の内径が第二のハウジングから第一のハウジングに向けて漸増するように形成され、弁座への弁体の着座時に弁体の外周面に当接する当接面であることから、弁体は、弁座への着座時に当接面の一部に当接したとき該当接面に沿って弁座に向けて案内される。これにより、弁体をその重心すなわち中心が第二のシール部材の中心軸上に位置する着座位置に容易に位置決めすることができる。
【００２６】
また、弁座への弁体の着座状態では、第二のシール部材が弁体に当接面で面接触することから、第二のシール部材がその弁座側と反対側に位置する面と内面とで規定される角部で弁体に線接触する場合に比べて、弁体への第二のシール部材の接触面積が大きくなるので、弁体と第二のシール部材との間の止水性をより確実に向上させることができる。
【発明を実施するための最良の形態】
【００２７】
本発明を図示の実施例に沿って説明する。
【実施例】
【００２８】
図１は、上下に配管された二つの管部材１１ａ，１１ｂ間に配置された逆流防止弁１０に本発明を適用した例を示す。
【００２９】
本発明に係る逆流防止弁１０は、図１に示すように、両端が開放する円筒状の第一のハウジング１２と、該第一のハウジングの下端部１２ａに装着され、下方の管部材１１ａが挿入される円筒状の第二のハウジング１３と、第一のハウジング１２の上端部１２ｂに装着され、上方の管部材１１ｂが挿入される円筒状の第三のハウジング１４とを備える。第一のハウジング１２の上端部１２ｂに第三のハウジング１４が装着された状態で該第三のハウジングに上方の管部材１１ｂが挿入されることにより、第一のハウジング１２の上端部１２ｂには、第三のハウジング１４を介して上方の管部材１１ｂが接続される。
【００３０】
第一のハウジング１２内には、弁室１５が規定されており、該弁室内には、弁体１６が収納されている。弁体１６は、図示の例では、樹脂製の球体からなる。弁室１５は、第一のハウジング１２の下方に開放している。弁室１５の内径は、弁体１６の径よりも十分に大きく、また、弁室１５の第一のハウジング１２の軸線に沿った長さ寸法は、弁体１６の直径よりも大きい。第一のハウジング１２の弁室１５における内周面１２ｃには、弁室１５の下部を除く部分で、内周面１２ｃから突出し且つ第一のハウジング１２の軸線方向に伸び、逆流防止弁１０の後述する開状態で第一のハウジング１２内に流体の流路を確保するための複数のリブ１７が、第一のハウジング１２の周方向に所定の間隔をおいて形成されている。各リブ１７の突出量は、該各リブの先端で規定される円の径が弁体１６の径とほぼ等しくなるように設定されている。これにより、弁体１６は、各リブ１７の先端に沿ってすなわち第一のハウジング１２の軸線に沿って弁室１５内で移動可能となる。また、各リブ１７の上部には、それぞれ弁室１５内からの弁体１６の抜け出しを防止するための複数の抜止部１７ａが形成されている。また、第一のハウジング１２の上端部１２ｂ及び下端部１２ａにおける外周面１２ｄには、それぞれ雄ねじ部１９が形成されている。
【００３１】
弁室１５の下部すなわち第一のハウジング１２の下端部１２ａ内には、図示の例では、弁体１６の挿通を許す環状部材３０が嵌合されている。環状部材３０は、その下端面３０ａが第一のハウジング１２の下端面１２ｅと面一になるように第一のハウジング１２の下端部１２ａに嵌合されている。環状部材３０の外周面３０ｂと第一のハウジング１２の内周面１２ｃとの間には、環状部材３０及び第一のハウジング１２間を止水するためのＯリングＲが設けられている。
【００３２】
第二のハウジング１３及び第三のハウジング１４は、それぞれ第一のハウジング１２の外径よりも小さい外径を有し、それぞれの軸線を第一のハウジング１２の軸線に一致させて配置されている。第二及び第三の両ハウジング１３，１４は、図示の例では、それぞれ第一の接続部材２０及び第二の接続部材２１により第一のハウジング１２に接続されている。
【００３３】
第一及び第二の両接続部材２０，２１は、図１に示すように、第一のハウジング１２の外径とほぼ等しい外径を有する円筒状をなしている。第一の接続部材２０の上端部２０ａにおける内周面及び第二の接続部材２１の下端部２１ａにおける内周面には、それぞれ第一のハウジング１２の各雄ねじ部１９に螺合可能な雌ねじ部２２が形成されている。また、第一の接続部材２０の下端部２０ｂ及び第二の接続部材２１の上端部２１ｂには、それぞれ各接続部材２０，２１の径方向内方へ張り出す張出部２３，２４がそれぞれ形成されている。各張出部２３，２４の張り出し量は、該各張出部の先端で規定される円の径が第二及び第三の各ハウジング１３，１４の外径にほぼ等しくなるように設定されている。第二のハウジング１３の上端部１３ａ及び第三のハウジング１４の下端部１４ａには、それぞれ各接続部材２０，２１の張出部２３，２４に各接続部材２０，２１の内方から係合される環状の係合部２５，２６が第二及び第三の各ハウジング１３，１４の径方向外方へ突出して形成されている。
【００３４】
第二のハウジング１３を第一のハウジング１２に装着する際、第一の接続部材２０の張出部２３を第二のハウジング１３の係合部２５にその下方から係合した状態で、第一の接続部材２０を第一のハウジング１２の下端部１２ａにその外方から嵌合して第一の接続部材２０の雌ねじ部２２を第一のハウジング１２の雄ねじ部１９に螺合させ、第一の接続部材２０を締め付けることにより、第二のハウジング１３の上端面１３ｂが第一のハウジング１２の下端面１２ｅ及び環状部材３０の下端面３０ａに当接した状態で、第二のハウジング１３が接続部材２０を介して第一のハウジング１２に接続される。また、これと同様にして、第三のハウジング１４を第一のハウジング１２に装着することができる。
【００３５】
第二のハウジング１３の上端部１３ａには、弁体１６を受けるための環状の弁座２７が形成されている。弁座２７は、第二のハウジング１３の上端面１３ｂから下方へ間隔をおいて形成されており、第二のハウジング１３の径方向内方へ張り出している。弁座２７は、その上面に、該弁座への弁体１６の着座状態で該弁体の外周面１６ａが当接する座面２７ａを有する。
【００３６】
前記下方の管部材１１ａから第二のハウジング１３内に流体が流入すると、すなわち、流体が順方向に流れると、該流体から受ける上方へ向けての圧力により、図１に二点鎖線で示すように、弁体１６が弁座２７から離反し、第二のハウジング１３の上端が開放される。これにより、流体は、第二のハウジング１３内から第一のハウジング１２内に流入する。このとき、第一のハウジング１２の弁室１５における内周面１２ｃには、前記したように、第一のハウジング１２内に流路を確保するための複数のリブ１７が設けられていることから、第一のハウジング１２内に流入した流体は、各リブ１７間を通って第一のハウジング１２から前記上方の管部材１１ｂ内に流入する。
【００３７】
他方、下方の管部材１１ａから第二のハウジング１３内への流体の流入が停止又は流入量が少なくなると、弁体１６がその自重に加えて上方の管部材１１ｂ内の流体から受ける圧力により、図１に示すように、弁室１５内を降下して弁座２７に着座する。弁体１６の着座状態では、第二のハウジング１３の上端が弁体１６により閉鎖される。これにより、流体が第一のハウジング１２内から第二のハウジング１３内に流入すること、すなわち、流体が順方向とは逆の方向に流れることが阻止される。
【００３８】
従って、逆流防止弁１０は、下方の管部材１１ａから流体が流入したときは前記した開状態となり、この開状態では下方の管部材１１ａから上方の管部材１１ｂへの流体の通過を許す。他方、下方の管部材１１ａからの流体の流入が停止又は流入量が少なくなったときには閉状態となり、この閉状態では上方の管部材１１ｂから下方の管部材１１ａへの流体の通過を阻止する。
【００３９】
本発明に係る逆流防止弁１０には、図２に示すように、第一のハウジング１２と第二のハウジング１３との間に、それらの間を止水するための環状の第一のシール部材２８が設けられており、更に、弁体１２と弁座２７との間に、それらの間を止水するための環状の第二のシール部材２９が設けられている。
【００４０】
第一のシール部材２８は、例えばゴムのような弾性変形可能な材料からなり、図示の例では、従来よく知られたＯリングで構成されている。第一のシール部材２８は、環状部材３０の下端面３０ａに形成された環状溝３５内に、該環状溝内から下方へ部分的に突出させて収容されている。これにより、第一のハウジング１２への第二のハウジング１３の装着時に第一の接続部材２０をねじ込んだとき、その締め付け力が第二のハウジング１３の上端面１３ｂから第一のシール部材２８の突出部分に該シール部材を環状溝３５内に向けて押圧する押圧力として作用する。この押圧力により、第一のシール部材２８は潰れ変形し、これにより、第一のシール部材２８と環状溝３５の内周面及び第二のハウジング１３の上端面１３ｂとの密着度が高まるので、環状部材３０と第二のハウジング１３との間が第一のシール部材２８により気密的に封止される。環状部材３０及び第一のハウジング１２は、前記したように、ＯリングＲにより封止されていることから、第一のハウジング１２及び第二のハウジング１３間が、ＯリングＲ及び環状部材３０を介して第一のシール部材２８により止水される。
【００４１】
第二のシール部材２９は、例えばゴムのような弾性変形可能な材料からなり、弁座２７の座面２７ａ上に配置されている。第二のシール部材２９の径方向の幅寸法は、座面２７ａを覆う大きさに設定されている。また、第二のシール部材２９は、押え部１８により座面２７ａ上に押え付けられている。
【００４２】
押え部１８は、図示の例では、第二のハウジング１３の内径とほぼ等しい外径を有する環状の押え部材３１で構成されている。第二のハウジング１３の内周面１３ｃには、座面２７ａの上方で雌ねじ部３２が形成されており、押え部材３１の外周面３１ａには、第二のハウジング１３の雌ねじ部３２に螺合可能な雄ねじ部３３が形成されており、押え部材３１は、その雄ねじ部３３を第二のハウジング１３の雌ねじ部３２に螺合させることにより、第二のハウジング１３に取り付けられる。また、押え部材３１の径方向の幅寸法は、弁座２７への弁体１６の着座を妨げない大きさに設定されている。
【００４３】
第二のシール部材２９は、第二のハウジング１３内への押え部材３１のねじ込みにより押え部材３１及び座面２７ａ間に挟持され、これにより、座面２７ａ上に固定される。
【００４４】
また、本実施例では、座面２７ａに、上方へ突出する環状の突起部３４が形成されている。突起部３４は、図示の例では、座面２７ａの押え部材３１に対応する位置で形成されており、弁座２７の周方向に沿って伸びる。突起部３４は、第二のハウジング１３内への押え部材３１のねじ込みにより第二のシール部材２９が押え部材３１及び弁座２７間に挟み込まれたとき、第二のシール部材２９に食い込む。
【００４５】
弁体１６が弁座２７に着座する際、第二のシール部材２９は、図２に示すように、弁体１６と座面２７ａとの間に挟み込まれる。これにより、第二のシール部材２９が弁体１６の外周面１６ａと弁座２７の座面２７ａとに密着するので、弁体１６及び弁座２７間が気密的に封止される。これにより、弁体１６及び弁座２７間が第二のシール部材２９により止水される。
【００４６】
本実施例によれば、前記したように、第一及び第二の両ハウジング１２，１３間を止水するための第一のシール部材２８が第一のハウジング１２の下端部１２ａに設けられた環状部材３０の下端面３０ａと第二のハウジング１３の上端面１３ｂとの間に設けられており、弁体１６及び弁座２７間を止水するための第二のシール部材２９が弁座２７の座面２７ａ上に設けられている。すなわち、第一及び第二の各シール部材２８，２９が、互いに別体に形成されている。
【００４７】
このことから、第一のシール部材２８を両ハウジング１２，１３間に挟み込んだときに両ハウジング１２，１３から第一のシール部材２８に大きな圧縮力が作用した場合に、第一のシール部材２８がたとえ大きく潰れ変形したとしても、第一のシール部材２８の変形力が第二のシール部材２９に及ぶことはない。これにより、第一のシール部材２８の変形力が第二のシール部材２９に及ぶことによる従来のような第二のシール部材２９の歪みが確実に防止される。
【００４８】
これにより、第一のシール部材２８が大きく潰れ変形した場合でも、第二のシール部材２９を座面２７ａ及び弁体１６の外周面１６ａとの間に隙間が形成されることなくそれらに密着させることができるので、座面２７ａ及び弁体１６の外周面１６ａ間を気密的に封止することができる。
【００４９】
従って、第一のシール部材２８の変形によって第二のシール部材２９が歪むことによる従来のような弁体１６及び弁座２７間の止水性の低下を招くことなく、弁体１６及び弁座２７間を第二のシール部材２９で確実に止水することができる。
【００５０】
また、第二のシール部材２９が押え部材３１により座面２７ａに押さえ付けられていることから、第二のシール部材２９が例えば製造誤差や第二のハウジング１３への第二のシール部材２９の取付時に該シール部材に作用する外力等により歪んだ場合でも、第二のシール部材２９が押え部材３１から受ける座面２７ａへ向けての押え力により、第二のシール部材２９の歪みを修正することができる。これにより、第二のシール部材２９の歪みによる弁体１６及び弁座２７間の止水性の低下を確実に防止することができる。
【００５１】
また、前記したように、座面２７ａに、第二のハウジング１３への押え部材３１の装着により第二のシール部材２９に食い込む突起部３４が形成されていることから、弁体１６の着座時に第二のシール部材２９が弁体１６から力を受けたとき、この力によって座面２７ａへの第二のシール部材２９の配置位置にずれが生じることを、確実に防止することができる。従って、第二のシール部材２９の配置が適正な位置からずれることによる弁体１６及び弁座２７間の止水性の低下を確実に防止することができる。
【００５２】
更に、前記したように、突起部３４が座面２７ａの周方向に沿って伸びる環状をなしていることから、第二のシール部材２９を座面２７ａ上に押え部材３１により押さえ付けることにより突起部３４を第二のシール部材２９に食い込ませたとき、座面２７ａと第二のシール部材２９との密着度がより高まる。これにより、座面２７ａ及び第二のシール部材２９間の止水性をより高めることができる。従って、例えば弁座２７への弁体１６の着座状態で、流体が第二のシール部材２９と弁座２７との間を経て第一のハウジング１２から第二のハウジング１３に流入することを確実に防止することができる。
【００５３】
特に、逆流防止弁１０の閉状態では、第一のハウジング１２内の圧力が高まるため、流体が第一のハウジング１２内から第二のシール部材２９及び座面２７ａ間を経て第二のハウジング１３内に漏れ易くなるが、突起部３４の止水作用により、逆流防止弁１０の閉状態で第一のハウジング１２から第二のハウジング１３に流体が漏れることを確実に防止することができる。
【００５４】
本実施例において、弁体１６と弁座２７との間を止水するための第二のシール部材２９に、弁座２７への弁体１６の着座時に該弁体の重心が第二のシール部材２９の中心軸上に位置する着座位置に向けて弁体１６を案内する案内手段３６を設けることができる。
【００５５】
案内手段３６は、図３に示す例では、第二のシール部材２９の弁座２７側と反対側に位置する上面２９ａにおける内縁部２９ｂに形成された当接面３７で構成されている。
【００５６】
当接面３７は、第二のシール部材２９の内径が第二のハウジング１３から第一のハウジング１２に向けて漸増するようにテーパー状に形成されており、図示の例では、平面である。当接面３７は、弁座２７への弁体１６の着座時に弁体１６の外周面１６ａに当接する。
【００５７】
弁体１６は、弁座２７に着座するときに当接面３７の一部に当接したとき、該当接面に沿って弁座２７に向けて案内される。これにより、弁体１６をその重心すなわち中心が第二のシール部材２９の中心軸上であって弁座２７の中心軸上に位置する着座位置に容易に位置決めすることができる。
【００５８】
これにより、弁座２７への弁体１６の着座時に第二のシール部材２９が弁体１６を受けたとき、弁体１６から第二のシール部材２９にその周方向に一様に力を作用させることができる。従って、第二のシール部材２９への弁体の密着度に偏りを生じさせることなく弁体１６を第二のシール部材２９に密着させることができるので、弁体１６及び弁座２７間を第二のシール部材２９でより確実に止水することができる。
【００５９】
また、弁座２７への弁体１６の着座状態では、第二のシール部材２９が弁体１６に当接面３７で面接触することから、第二のシール部材２９がその前記上面２９ａと内面２９ｃとで規定される角部で弁体１６に線接触する場合に比べて、弁体１６への第二のシール部材２９の接触面積が大きくなる。これにより、弁体１６と第二のシール部材２９との間の止水性をより確実に向上させることができる。
【００６０】
図３に示す例では、当接面３７が平面である例を示したが、これに代えて、例えば弁体１６の曲率とほぼ等しい曲率で第二のシール部材２９の径方向外方へ湾曲した円弧面のように平面以外の当接面を本発明に適用することができる。
【００６１】
図１乃至図３に示す例では、第二のシール部材２９を座面２７ａに押さえ付けるための押え部１８が環状の押え部材３１で構成されており、該押え部材が第二のハウジング１３に装着された例を示したが、これに代えて、押え部１８を第一のハウジング１２の下端部１２ａ又は該下端部に設けられた環状部材３０に形成することができる。この場合、第一のハウジング１２への第二のハウジング１３の装着時に、第一の接続部材２０を締め付けることにより第一のシール部材２８が大きく圧縮変形したとき、押え部１８が第二のシール部材２９に当接するように設定することができる。これにより、第一の接続部材２０の締め付け力が第二のシール部材２９に大きな圧縮力として作用することが防止されるので、第一の接続部材２０の締め付けにより第二のシール部材２９が歪むことを確実に防止することができる。
【００６２】
また、図１乃至図３に示す例では、突起部３４が環状をなした例を示したが、これに代えて、突起部３４を、例えば弁座２７の座面２７ａ上に、弁座２７の周方向に所定の間隔をおいて形成された複数の突起部で構成することができる。
【００６３】
更に、図１乃至図３に示す例では、弁体１６が樹脂製の球体からなる例を示したが、これに代えて、弁体１６を、樹脂以外の材料からなり、球状以外の形状をなす弁体で構成することができる。
【００６４】
また、図１乃至図３に示す例では、上下に配管された各管部材１１ａ，１１ｂ間に配置された逆流防止弁１０に本発明を適用した例を示したが、これに代えて、例えば横方向に配管された二つの管部材間に配置される逆流防止弁に本発明を適用することができる。
【図面の簡単な説明】
【００６５】
【図１】本発明に係る逆流防止弁を概略的に示す縦断面図である。
【図２】本発明に係る弁座への弁体の着座状態を概略的に示す縦断面図である。
【図３】第二のシール部材の変形例を概略的に示す縦断面図である。
【符号の説明】
【００６６】
１０  逆流防止弁
１２  第一のハウジング
１３  第二のハウジング
１６  弁体
１６ａ  外周面（弁体の外周面）
１７  リブ
１８  押え部
２７  弁座
２７ａ  座面
２８  第一のシール部材
２９  第二のシール部材
２９ｂ  内縁部（第二のシール部材の内縁部）
３０  環状部材
３１  押え部材
３２  雌ねじ部
３３  雄ねじ部
３４  突起部
３６  案内手段
３７  当接面
【図１】
0004758817.tif 000002
【図２】
0004758817.tif 000003
【図３】
0004758817.tif 000004